Podtech/llm-jp-corpus-v4-ja_patent huggingface dataset:
(57)【要約】      （修正有）【課題】日常的に生じる、ほんの小さな大きさの汚れなどを拭き取る場合、これに必要な、かつ、十分な大きさ、特に長さを持つハーフサイズのティッシュペーパーを、並列して２個、ダブルにカートン内に収納するボックスティッシュペーパー製品を提供する。【解決手段】市販される長さの１／２の１００〜１１０ｍｍ前後の長さで切断されたハーフサイズのティッシュペーパーを２個ダブルでカートン２内に収納し、カートン上面に並列して２個形成された引き出し口３、４から、それぞれ別個に１枚ずつポップアップして、ハーフサイズのティッシュペーパーを取り出すことを可能にする。【選択図】図１
0003229548.tif 000002
【実用新案登録請求の範囲】
【請求項１】
ボックスティッシュペーパー製品において、カートン上面に引き出し口が2か所並列して形成されており、それぞれ別個に、カートンの中に納まるハーフサイズの長さのティッシュペーパーをポップアップして取り出せることを特徴とするボックスティッシュペーパー製品。
【考案の詳細な説明】
【技術分野】
【０００１】
本考案は、ボックスティッシュペーパー製品に関するものである。
【背景技術】
【０００２】
現在市販されているボックスティッシュペーパー製品における本体となるティッシュペーパーそのものの大きさは、概ね長さ200〜220mm前後、幅100〜110mm前後である。これを収納するカートンの上面に形成された引き出し口から1枚ずつポップアップして簡易に連続して取り出すことが出来る。取り出して使用できるティッシュペーパーの大きさ、特に、長さは概ね200〜220mm前後のものしかない。殆ど多くの人々の日常的な現実生活においては、ほんの小さな大きさの汚れなどをティッシュペーパーで拭き取る場合が数多く生じるが、これに適格に対応できる、より小さなサイズのものがない。
【考案の概要】
【考案が解決しようとする課題】
【０００３】
取り出して使用できるティッシュペーパーの大きさ、特に、長さが概ね200〜220mm前後のものしかないため、ほんの小さな大きさの汚れを拭き取る時にも、その必要性から見て究めて過大な長さ、概ね200〜220mm前後のティッシュペーパーを使用して使い、そして、これを廃棄する。これが日常的に積み重なることによって、無視できない膨大な資源の無駄な消費を続けている。
【課題を解決するための手段】
【０００４】
本考案は、ほんの小さな大きさの汚れの拭き取り用に、これに必要かつ十分な大きさを持つものとして、市販サイズの1/2、概ね100〜110mm前後の長さに切断したティッシュペーパーを用意し、この2個を、一般に市販されているティッシュペーパー用カートン内に並列して接して収納し、また、カートンの上面に引き出し口を並列して2個形成させて、それぞれの引き出し口から別個に、中に収納されるハーフサイズのティッシュペーパーをポップアップして簡易に連続して取り出すことを可能にすることによって、課題を解決する。
【考案の効果】
【０００５】
毎日の日常生活において生じる、ほんの小さな大きさの汚れを拭き取る場合において、本考案のハーフサイズのティッシュペーパーが2個ダブルに収納される製品を使用することによって、従前のティッシュペーパー製品を使用する場合に比して、ティッシュペーパーの全体の使用消費量を概ね1/2に減ずることが出来る。限られた紙資源の無駄な消費を防ぎ、節約型の消費社会、生活文化を創生する。
【図面の簡単な説明】
【０００６】
【図１】本考案のハーフサイズ・ダブルのティッシュペーパー製品の実施例を示す全体俯瞰図である。
【図２】引き出し口から、それぞれのハーフサイズのティッシュペーパーを同時にポップアップして取り出す状況を示す図である。
【図３】カートン上面の平面図であり、並列して形成された２個の引き出し口を示す。
【図４】カートン内に収納する、２個の並列して接するハーフサイズのティッシュペーパーの形態である。
【図５】カートン上面を内部から見た平面図であり、並列して形成された２個の引き出し口をふさぐ窓フィルムと、窓フィルムとカートン上面との間に塗布する接着剤の塗布部分の範囲を示す。
【考案を実施するための形態】
【０００７】
本考案におけるカートン内に収納するティッシュペーパーは、通常のものの1/2の長さ寸法、概ね100〜110mm前後の長さ、言わばハーフサイズで切断し、この２個を並列して接する形でカートン内に収納する。これを収納するカートンの上面には、この２個のハーフサイズティッシュペーパーに対応する２個の引き出し口を形成し、それぞれ別個にポップアップしてハーフサイズティッシュペーパーを引き出すことを可能にする。
【実施例】
【０００８】
以下、添付図面に従って、実施例を説明する。
1は本考案のハーフサイズ・ダブルのティッシュペーパー製品、2はこれを収納するカートン、3、4はカートンの上面に形成された２個の引き出し口、5はカートン内部への埃などの侵入を防ぐ窓フィルム、6はティッシュペーパーをポップアップして引き出すための隙間スリット、7はカートン内部に収納する２個のハーフサイズのティッシュペーパー、そして、8は窓フィルムをカートン上面の内側に接着するための接着剤塗布部分である。
【０００９】
毎日の日常生活において生じる、ほんの小さな大きさの汚れを拭き取る場合においては、本考案のハーフサイズ・ダブルのティッシュペーパー製品を使用する。カートン上面に形成された２つの引き出し口から、それぞれ別個にハーフサイズティッシュペーパーを1枚ずつポップアップして簡易に連続して取り出すことが出来る。汚れの拭き取り可能回数は、従前の場合と比較して、２倍の数量になる。
【符号の説明】
【００１０】
1    ハーフサイズ・ダブルのティッシュペーパー製品
2    カートン
3    引き出し口1
4    引き出し口2
5    窓フィルム
6    窓フィルムのスリット
7    ハーフサイズのティッシュペーパー
8    窓フィルム接着剤塗布部分（概ね5mm幅）
【図１】
0003229548.tif 000003
【図２】
0003229548.tif 000004
【図３】
0003229548.tif 000005
【図４】
0003229548.tif 000006
【図５】
0003229548.tif 000007
(57)【要約】      （修正有）【課題】封筒を購入者自身で組み立てる組立式にし、また封筒を積層にすることで安価になり利用しやすくし、また小さなプレゼント品を入れて手渡したり、ポチ袋としての利用もできる付箋封筒を提供する。【解決手段】組立式封筒をつくるために、付箋の紙片１の形を正面７、両側面６、底面５、上部蓋面４で構成し、糊の塗布部３を上部蓋面に設定し、各面に接する部分の筋押し加工、または波線の印刷を施し、任意の枚数を積層加工を施し、封筒の形の外郭線を型抜き加工を施し、購入者が付箋の紙片を一枚、一枚剥がし筋押し部、または波線の印刷部をもとに両側面、底面を折り込み最後に糊付き上部蓋面を折り込み封緘させ、封筒として組み立てて使えるようにする。【選択図】図１
0003229541.tif 000002
【実用新案登録請求の範囲】
【請求項１】
用件を書いて、または目印として、貼り付ける小さな紙片の付箋において、付箋の紙片で封筒をつくるために付箋の紙片の形を正面、両側面、底面、上部蓋面で構成し、糊の塗布部を上部蓋面に設定し、各面に接する部分の筋押し加工、または波線の印刷を施し、付箋の紙片を任意の枚数を積層加工を施し、付箋の紙片に構成した封筒の形の外郭線を型抜き加工を施し、購入者が付箋の紙片を一枚、一枚剥がし筋押し部、または波線の印刷部をもとに両側面、底面を折り込み最後に糊付き上部蓋面を折り込み封緘させて、封筒として組み立てて使うことを特長とした付箋封筒。
【考案の詳細な説明】
【技術分野】
【０００１】本考案は、用件を書いて、または目印として、貼り付ける小さな紙片の付箋に関するものである。
【背景技術】
【０００２】従来より、用件を書いて、または目印として、貼り付ける小さな紙片の付箋はパソコン時代においても、紙のツールとして利用され、サイズ、色、形のバリエーションも増えイラスト、文字を施したものがあり多くの人々に活用されている考案がある。
【発明が解決しようとする課題】
【０００３】付箋は用件を書き込み、自身のメモとして、また他者に伝える簡単なメモとして利用しているが、他者に伝える事柄の思いを高めるために封筒を利用することがあるが、既製の封筒では大げさすぎ、封筒の単価も高く利用しにくいが、封筒を購入者自身で組み立てる組立式封筒にし、また組立式封筒を積層にすることで安価になり、小さなプレゼント品を組立式封筒に入れたり、ポチ袋としての利用もできる積層、組立式の封筒を顧客に提供する。
【課題を解決するための手段】
【０００４】本考案にかかる付箋封筒において、付箋の紙片で封筒をつくるために付箋の紙片の形を正面、両側面、底面、上部蓋面で構成し、糊の塗布部を上部蓋面に設定し、各面に接する部分の筋押し加工、または波線の印刷を施し、付箋の紙片を任意の枚数を積層加工を施し、付箋の紙片に構成した封筒の形の外郭線を型抜き加工を施し、購入者が付箋の紙片を一枚、一枚剥がし筋押し部、または波線の印刷部をもとに両側面、底面を折り込み最後に糊付き上部蓋面を折り込み封緘させて、封筒として組み立てて使えるようにする。
【考案を実施するための形態】
【０００５】以下に、本考案にかかる付箋封筒を、その実施の形態を示した図面に基づいて詳細に説明する。
図１は付箋の紙片の形を正面、両側面、底面、上部蓋面で封筒の形を構成し、付箋の糊の塗布部を上部蓋面に設定し各面に接する部分の筋押し加工を施し、封筒の外郭線を型抜き加工を施し、付箋封筒を構成する付箋の紙片の一枚の実施例の一例を示す正面図である。図２は付箋封筒を構成する付箋の紙片一枚を各面の接する部分をもとに折り込み封筒に組み立てる途中の状態を示す斜視図である。
図３は付箋の紙片を任意の枚数を積層加工を施し、封筒の形の外郭線を型抜き加工を施した付箋封筒の一枚の付箋の紙片を剥がす途中を示す斜視図である。
【発明の効果】
【０００６】一般的な封筒は形式張った形態が多く単価が高くて気軽に使いづらいが、購入者自身で組立る組立式の封筒にし積層にすることで単価が安くなり、封筒を利用し伝える事柄と気持ちを伝えるツールとして付箋封筒を利用することで、メール、ＳＮＳの普及で衰退しはじめている感謝の気持ちを手紙で伝える美徳の文化が、安価で使いやすい付箋封筒の普及で美徳の文化が継承される。
【図面の簡単な説明】
【０００７】
【図１】図１は本考案にかかる付箋封筒を構成する付箋の紙片一枚の実施例の一例を示す正面図である。
【図２】図２は付箋封筒を構成する付箋の紙片一枚を各面の接する部分をもとに折り込み封筒に組み立てる途中の状態を示す斜視図である。
【図３】図３は付箋の紙片を任意の枚数を積層加工を施し、封筒の形の外郭線を型抜き加工を施したした斜視図である。
【符号の説明】１  付箋の紙片
２  折り線
３  糊の塗布面
４  上部蓋面
５  底面
６  側面
７  正面
８  組立途中の封筒
９  封筒付箋
【図１】
0003229541.tif 000003
【図２】
0003229541.tif 000004
【図３】
0003229541.tif 000005
(57)【要約】      （修正有）【課題】塗装の際に一斗缶、下げ缶の２種類別々の容器を持つ必要がなく、作業効率と安全性を高くする塗装用具持ち運び用容器を提供する。【解決手段】塗装用具持ち運び用容器は、一斗缶６にフックで引っ掛けて、尚且つ塗装用具持ち運び用容器の外側容器１に永久磁石を設け、一斗缶６との密着性を高め、一斗缶６から外れないように安全性を高めたものである。尚且つ塗装用具持ち運び用容器の内部に薄いプラスチック樹脂容器である内側容器４をはめ込み、使い捨てできる為、塗装用具持ち運び用容器の外側容器１は、繰り返し使用できるようにしたものである。【選択図】図３
0003229543.tif 000002
【実用新案登録請求の範囲】
【請求項１】
開口部を有する外側容器と、前記外側容器の開口部に嵌入することができる内側容器とを備え、前記外側容器は、一斗缶容器その他の容器に取り付ける取り付け具を有する塗装用具持ち運び用容器。
【請求項２】
前記外側容器又は前記内側容器は、樹脂素材で形成されたことを特徴とする請求項１記載の塗装用具持ち運び用容器。
【請求項３】
前記取り付け具は、フックであることを特徴とする請求項１又は、請求項２のうちいずれか１項に記載の塗装用具持ち運び用容器。
【請求項４】
前記取り付け具に、さらに永久磁石を備えていることを特徴とする請求項１から請求項３の内いずれか一項に記載の塗装用具持ち運び用容器。
【請求項５】
前記内側容器の内側にローラーしごき用の凹凸を設けたことを、特徴とする請求項１から４のうちいずれか一項に記載の、塗装用具持ち運び用容器。
【考案の詳細な説明】
【技術分野】
【０００１】  本考案は、刷毛やミニローラーなどを収納する塗装用具持ち運び用容器に関するものである。
【背景技術】
【０００２】  従来、塗装する際に一斗缶でローラーを使用し、細部を塗る刷毛は、別の容器に入れ別々の容器で作業していた（特許文献１）。
【先行技術文献】
【特許文献】
【０００３】
【特許文献１】特開２０１６−０７４１４１号  公報
【考案の概要】
【考案が解決しようとする課題】
【０００４】  上述したように、塗装の際一斗缶、下げ缶の２種類別々の容器を持って高所等で作業する事が多く、作業効率が悪く危険性も伴う。従って一斗缶と下げ缶（刷毛容器）を一体化させる事により、前述の欠点を解決しようとするものである。
【課題を解決するための手段】
【０００５】  本考案は、一斗缶に樹脂製のコンパクトな容器をフックで引っ掛けて取り付ける物である。取り付け時外れないように、尚且つ永久磁石を用いて外れないようにする。尚且つ塗装用具持ち運び用容器を２重構造にし、内側容器を使い捨てにし、外側容器を繰り返し使用出来るようにする。
【考案の効果】
【０００６】  上記の様に本考案の塗装用具持ち運び用容器を、使う事により、従来２種類別々に使用していたものを、一度にコンパクトに持ち運び出来る様になる。また塗装作業も大壁、細部塗装も同時に進行できる。さらに足場の移動、昇り降りもスムーズに行う事ができ、安全性も高くなる。尚且つ内側容器を設ける事により、外部容器は、繰り返し使用できる。
【図面の簡単な説明】
【０００７】
【図１】（ａ）は、一斗缶に取り付けて使用する塗装用具持ち運び用容器の、外側容器の背面から見た斜視図である。（ｂ）は、一斗缶に取り付けて使用する塗装用具持ち運び用容器の側面から見た斜視図である。（ｃ）は、永久磁石により一斗缶に取り付けて使用する塗装用具持ち運び用容器の背面から見た斜視図である。（ｄ）は、一斗缶に取り付けて使用する、塗装用具持ち運び用容器の永久磁石を取り付けた側面図である。
【図２】（ａ）は、塗装用具持ち運び用容器内に、嵌め込む内側容器の斜視図である。（ｂ）は、塗装用具持ち運び用容器内に、嵌め込む内側容器の側面図である。
【図３】は、本考案の塗装用具持ち運び用容器を、一斗缶に取り付けた状態の正面から見た斜視図である。
【図４】（ａ）は、本考案の塗装用具持ち運び容器を、一斗缶にフックで取り付けた状態の側面図である。（ｂ）は、本考案の塗装用具持ち運び容器を、一斗缶にフック及び永久磁石で取り付けた状態の側面図である。
【考案を実施するための形態】
【０００８】  本考案は、一斗缶その他の容器に取り付けて、刷毛及びミニローラー等を納める容器である。その際、種々の色の塗料を用いる場合があり、各々の色の塗料で汚れる為内側容器を装着して使い捨て可能にできる。
【実施例】
【０００９】  以下、添付図面に従って実施例を説明する。
図１（ａ）は、一斗缶に取り付けて使用する塗装用具持ち運び用容器の、外側容器の背面から見た斜視図である。図１（ａ）において、外側容器１は、プラスチック樹脂容器である。塗装用具持ち運び用容器は、フック取り付け部２により、一斗缶６（図３参照）のへりに、引っ掛けられる。
図１（ｃ）は、永久磁石により一斗缶に取り付けて使用する塗装用具持ち運び用容器の背面から見た斜視図である。図１（ｃ）において、塗装用具持ち運び用容器に、永久磁石３を取り付け、これで一斗缶６に引っ付けて、さらに外れないようにしたものである。
図２（ａ）は、塗装用具持ち運び用容器内に嵌め込む内側容器の斜視図である。図２（ａ）において、内側容器４は樹脂素材で、例えば、薄いプラスチック樹脂とすることができる。。【００１０】  図３は、本考案の塗装用具持ち運び容器を、一斗缶に取り付けた状態の正面から見た斜視図である。図３において、外側容器１の中に内側容器４を嵌め込んだ塗装用具持ち運び用容器が、一斗缶６に取り付けられた状態を示している。内側容器４の中に、ミニローラー７、刷毛８、小刷毛９を、収める事ができる。内側容器４は、薄い樹脂容器で汚れると、使い捨て出来るようにしたものである。さらに、内側容器４には、凹凸のライン５が設けられ、材料をしごきやすくしている。よって、塗装の仕上がりが均等に、美しくなる。
このように、一斗缶６と持ち運び容器を一体化する事により、安全且つ作業効率も上がり、尚且つ大壁、細部も同時に塗装する事により、美しい仕上がりが得られる。
【符号の説明】
【００１１】１  外側容器
２  フック取り付け具
３  永久磁石
４  内側容器
５  ローラーしごき用の凹凸
６  一斗缶
７  ミニローラー
８  刷毛
９  小刷毛
【図１】
0003229543.tif 000003
【図２】
0003229543.tif 000004
【図３】
0003229543.tif 000005
【図４】
0003229543.tif 000006
(57)【要約】      （修正有）【課題】ぬめり・カビの発生を抑え、ゴミ袋の脱着を簡単にし、使用時・使用後の見た目が美しく、収納スペースを取らないゴミ袋スタンドを提供する。【解決手段】平面収納型ゴミ袋スタンドは、長方形のプラスチックシートを備え、長方形のプラスチックシートの短辺同士を接着し、円筒を押しつぶすように折り、平面状にし、平面から円筒状の立体に近づくように、間に物を入れることで、自立可能となる。プラスチックシート素材を使用することで、軽量、耐水、デザインプリント加工まで可能になる。洗浄ができ、接着と折り畳みのみで完成する構造であるためヌメリ等が発生しにくい。また、底板のない構造であるため、ゴミ袋ではなく本体５を引き抜くことで、ゴミをこぼさずに取り出せる。使用時は上部３・下部４が筒状に広がり安定して自立するが、使用後は折り目で畳まれ平面状になり収納しやすい。素材にプリントを施すことで審美性にも対応できる。【選択図】図２
0003229581.tif 000002
【実用新案登録請求の範囲】
【請求項１】
長方形のプラスチックシートの短辺同士を接着し、円筒を押しつぶすように折り、平面状にする。平面から円筒状の立体に近づくように、間に物を入れることで、自立可能となるのが特徴である。
【考案の詳細な説明】
【技術分野】
【０００１】  本考案は使用時は立体、収納時は平面状になるゴミ袋スタンドに関するものである。
【背景技術】
【０００２】  調理時に出るゴミを入れる袋を使いやすくするためにある従来のゴミ袋スタンドは、シンクの片隅に置いたり、吸盤で設置しておくもの、折り畳み構造のものなど多様である。
【考案の概要】
【考案が解決しようとする課題】
【０００３】  台所は生活の要であり、清潔・使いやすさが長年求められてきた。昨今の住宅は、リビングダイニングが主流となり、清潔・使いやすさに加え、見た目の美しさが求められるようになった。本考案は極めてシンプルな構造にすることで、従来品に多いぬめり・カビの発生とゴミ袋の装着と取外しの困難、使用時の見た目と未使用時に収納するためのスペースの問題を解決しようとするものである。
【課題を解決するための手段】
【０００４】  本考案は、プラスチックシートを用いるので、洗うことでカビ・ヌメリの発生を抑えられる。取付けは、筒状に広げ、内側にゴミ袋をセットし、ゴミ袋上部をスタンドの外側に折り返す。中のゴミの圧力で、平面から立体になり自立する。取り出しの際は、折り返したゴミ袋上部を立ち上げ、ゴミがゴミ袋底まで落ちるように軽く浮かして整えてから置き、スタンドを上方向に引き抜いて外す。使用後は洗浄し、平面状にするので場所を取らずに収納できる。プラスチックシートはプリント加工しやすく、使用時に中身が見えないようにすることもデザイン性に優れたプリントを施すことも可能である。
【考案の効果】
【０００５】  上述のように、本考案の平面収納型ゴミ袋スタンドは、プラスチック素材の特性と自然の圧力や重力を活かすことで極めてシンプルな構造が実現し、清潔で使いやすく見た目にも美しく、収納しやすいものになった。日々の炊事に役立つことはもちろん、持ち運びに適しているので、場所にとらわれず使用できるものである。
【図面の簡単な説明】
【０００６】
【図１】本考案の平面収納型ゴミ袋スタンドの実施例を示す収納時の図である
【図２】本ゴミ袋スタンドの使用時の図である。
【考案を実施するための形態】
【０００７】  長方形のプラスチックシートの短辺同士を接着し円筒状にする。円筒をつぶすように平面状に折る。間を開閉できるようにする。
【実施例】
【０００８】  以下、添付図面に従って一実施例を説明する。図１は、筒状の本体を１，１ａの折り目で畳み平面状にしたものである。２はプラスチックシート素材を筒状にする際の接着部分である。図２は使用時に本体を立体型に広げたものである。本体内側に袋をセットし、上部３に沿って袋の上部を外側に折り返す。袋にゴミなどが入ることで４の下部が大きく開き立体形状が維持され自立する。取り外しの際は、３に沿って折り返した袋上部を立ち上げ、５の本体を上方向に引き抜くことで、簡単できれいにゴミ袋を取り出すことができる。使用後は洗浄し、図１のように折り畳み、場所を取らず収納することが可能である。
【産業上の利用可能性】
【０００９】  本考案の一実施例は上述の如き構成からなるものであるから、持ち運びにも適しており、野外炊飯や工作・手芸、掃除の際のゴミ収集や衣類・タオル類等の自立型収納ケースとしても機能する。また、プラスチックシートにデザイン・カラーをプリントすることで見た目のバリエーションが広がるばかりでなく、中のゴミを見えにくくすることができる。
【符号の説明】
【００１０】  １（１ａ）  折り目
２          接着部分
３          上部
４          下部
５          本体
【図１】
0003229581.tif 000003
【図２】
0003229581.tif 000004
【手続補正書】
【提出日】令和2年9月6日(2020.9.6)
【手続補正１】
【補正対象書類名】実用新案登録請求の範囲
【補正対象項目名】全文
【補正方法】変更
【補正の内容】
【実用新案登録請求の範囲】
【請求項１】
長方形のプラスチックシートを備え、当該長方形のプラスチックシートの短辺同士を接着し、円筒を押しつぶすように折り、平面状にし、前記平面から円筒状の立体に近づくように、間に物を入れることで、自立可能となることを特徴とする平面収納型ゴミ袋スタンド。
(57)【要約】      （修正有）【課題】掃除機の吸引口に取り付けて、ハンディモップに付いたホコリを取り除くアダプターを提供する。【解決手段】空洞のドーナツ状の穴の部分にハンディモップを差し込み、掃除機にて吸引する事により、ハンディモップに付いたホコリを吸い取る、掃除機の吸引口４に付けるアダプター５であって、空洞のドーナツ状の穴の部分にリング状の溝１を施し、溝の数か所に内側に通じる穴２を設け、点ではなく内側に施したリング状の溝に接している面で吸引する事により、ハンディモップに付いたホコリを３６０°から掃除機により吸い取る。【選択図】図１
0003229582.tif 000002
【実用新案登録請求の範囲】
【請求項１】
空洞のドーナツ状の穴（筒）の部分にハンディモップを差し込み、掃除機にて吸引する事により、ハンディモップに付いたホコリを吸い取る、掃除機のアダプター。
【請求項２】
空洞のドーナツ状の穴（筒）の部分にリング状の溝を施し、溝の数か所に内側に通じる穴を設け、点ではなく内側に施したリング状の溝に接している面で吸引する事により、ハンディモップに付いたホコリを３６０°から掃除機により吸い取る、掃除機の吸込口に付ける、アダプターを提供する。
【考案の詳細な説明】
【技術分野】
【０００１】  この考案は、掃除機の吸引口に付けて、ハンディモップに付いたホコリを取り除くアダプターに関するものである。
【背景技術】
【０００２】  ハンディモップに付いたホコリは、使い捨てまたは水洗い等によるものしか無かった。
【考案の概要】
【考案が解決しようとする課題】
【０００３】  ホコリが付いたまま、別の場夜を掃除すると、ハンディモップに付いたホコリを、次に掃除する場所へまき散らしてしまう為、複数個所の掃除がし辛い。
【課題を解決するための手段】
【０００４】  本アダプターを掃除機に装着し、ハンディモップ使用後、すぐにホコリの除去が可能となる。
【考案の効果】
【０００５】  どのご家庭にもある掃除機に取り付け可能な、本アダプターを使用する事により、ホコリをまき散らす事無く、短時間で複数個所の掃除が可能となる。
【図面の簡単な説明】
【０００６】
【図１】本考案の掃除機の吸引口に取り付けるアダプターの全体図である。内部のリング状の溝が分かる様、透過図とする。
【図２】アダプターを上から見た断面図である。
【図３】アダプターを横から見た断面図である。
【考案を実施するための形態】
【０００７】  アダプター本体を掃除機の吸引口に差し込む。
【実施例】
【０００８】  ホコリの付いたハンディモップを図１にあるハンディモップ差込口に入れ掃除機を稼働し、ハンディモップを抜き差しする事により、ハンディモップに付着したホコリを掃除機にて吸引する。
【符号の説明】１  リング状の吸引溝
２  吸引穴
３  差込口
４  掃除機の吸引口
５  アダプター本体
【図１】
0003229582.tif 000003
【図２】
0003229582.tif 000004
【図３】
0003229582.tif 000005
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
空洞のドーナツ状の穴の部分にハンディモップを差し込み、掃除機にて吸引する事により、ハンディモップに付いたホコリを吸い取る、掃除機のアダプター。
【請求項２】
空洞のドーナツ状の穴の部分にリング状の溝を施し、溝の数か所に内側に通じる穴を設け、点ではなく内側に施したリング状の溝に接している面で吸引する事により、ハンディモップに付いたホコリを３６０°から掃除機により吸い取る、掃除機の吸込口に付ける、掃除機のアダプター。
(57)【要約】      （修正有）【課題】お通夜時に明日の告別式に出席するかどうかを、受付の人が一人一人確認をとる煩雑さを解決できる香典袋を提供する。【解決手段】香典袋１０に告別式出欠欄１１を明記することで、告別式出席の確認業務と間違いを無くす。【選択図】図１
0003229750.tif 000002
【実用新案登録請求の範囲】
【請求項１】
香典袋に告別式の出席のチェック欄を記載したものを印刷した香典袋。
【考案の詳細な説明】
【技術分野】
【０００１】本考案は、通夜葬儀などに訪れる弔問者が情報を記入する香典袋に関するものである。
【背景技術】
【０００２】従来の香典袋の裏側に金額、住所、郵便番号および電話番号の記載欄が設けられている。
【先行技術文献】
【特許文献】
【０００３】
【特許文献１】特開２００２−０６８２０６
【特許文献２】実登３０９９２２９
【考案の概要】
【考案が解決しようとする課題】
【０００４】今まではお通夜時に明日の告別式に出席するかどうかは、香典を受けとった時に受付の人が、一人一人確認をとる煩雑さがあった。さらに確認をとれない時など告別式当日の指名焼香にも失礼がある。
【課題を解決するための手段】
【０００５】現状の香典袋にはお通夜のみなのか、告別式にも出席するかわからず受付にて、一人一人に告別式出席の確認をしているが、香典袋に告別式出欠欄を明記することで、確認業務と間違いを無くすことができる。
【考案の効果】
【０００６】お通夜の受付業務が簡単になり、告別式に出席される方に確認をとる必要がなくなる。
【図面の簡単な説明】
【０００７】
【図１】香典袋の表面に実施例を示す表面図である。
【図２】香典袋の裏面に実施例を示す裏面図である。
【考案を実施するための形態】
【０００８】既存の香典袋製造メーカーに考案した部分を追加印刷させる。
【実施例】
【０００９】追加印刷した香典袋を図１、図２香典袋のように実施する。
【符号の説明】
【００１０】  １０    香典袋
１１    告別式に出欠チェック欄
【図１】
0003229750.tif 000003
【図２】
0003229750.tif 000004
【手続補正書】
【提出日】令和2年6月29日(2020.6.29)
【手続補正１】
【補正対象書類名】実用新案登録請求の範囲
【補正対象項目名】全文
【補正方法】変更
【補正の内容】
【実用新案登録請求の範囲】
【請求項１】
香典袋図１及び図２の１１の様に告別式に出席のチェック欄を設けた香典袋。
【手続補正書】
【提出日】令和2年9月9日(2020.9.9)
【手続補正１】
【補正対象書類名】実用新案登録請求の範囲
【補正対象項目名】全文
【補正方法】変更
【補正の内容】
【実用新案登録請求の範囲】
【請求項１】
香典袋の表面下部又は裏面下部に告別式に出席のチェック欄を設けた香典袋。
(57)【要約】      （修正有）【課題】ショッピングカートや買い物かごを潜らせ安定化二酸化塩素水の噴霧により瞬間的に均一に確実に除菌をするゲート型除菌装置を提供する。【解決手段】ゲート型除菌装置は、台形型フレームの左右に各１０Ｌの薬液タンク２、上部にコンプレッサー３を内蔵し小型で一体型の均衡がとれた筐体とのアジャスター付きキャスター４により可搬性が高く、ショッピングカートや買い物かごを潜らせた際に自動検知センサー５で検知した瞬間に非常に細かい速乾性のある安定化二酸化塩素水を３方向の噴霧ノズル６から噴霧することにより均一に瞬間的に除菌をすることにより時間的労働的負担やコストを減らし、二次感染を防ぐことに役立つ。【選択図】図２
0003229710.tif 000002
【実用新案登録請求の範囲】
【請求項１】
上部にコンプレッサーと２０Ｌの薬液タンクを内蔵した一体型の装置であり、均衡を保つため本体の形状を台形にし、左右各１０Ｌずつ薬液タンクを内蔵し重心を中央にすることで移動時の転倒を防ぎ様々な場所に移動、設置することが可能な可搬性の高いゲート型除菌装置。
【請求項２】
位置及び角度調整ができるノズルにより大きさの異なるショッピングカートや買い物かごにも均一に安定化二酸化塩素水を噴霧するとともに、非常に細かい霧状の安定化二酸化塩素水のため速乾性があり除菌後乾燥を待つことなく使用が可能なゲート型除菌装置
【考案の詳細な説明】
【技術分野】
【０００１】
本考案はスーパーや大型ショッピングモールで使用されているショッピングカートや買い物かごを除菌するゲート型除菌装置である。
【背景技術】
【０００２】
スーパーやショッピングモールで使用するショッピングカートや買い物かごを手作業以外で除菌するためには水で洗浄し乾燥させる大型の洗浄装置を有する専用の業者に委託する必要があった。
【０００３】
コロナ禍で除菌が重要視される中ショッピングカートや買い物かごの除菌は手作業で行うしかなかった。
【先行技術文献】
【特許文献】
【０００４】
【特許文献１】特開２０１４−２３１０３０号公報
【０００５】
【特許文献２】特開２００３−１１２１３５号公報
【考案の概要】
【考案が解決しようとする課題】
【０００６】
スーパーやショッピングモール等で使用するショッピングカートや買い物かごはアルコールを使用し手作業で除菌作業を行うため時間的労働的負担がかかり、手作業で行うため均一に除菌がされておらず二次感染が発生する可能性がある。ショッピングカートを洗浄する装置として特許文献１があるが箱型で大型の為可搬性が低く、移動が容易ではない。買い物かごを洗浄する装置として特許文献２があるが、業者に依頼し装置自体を車で移動してもらわなければならず時間とコストがかかる。またどちらも水で洗浄をするため乾燥の必要があり時間がかかる。従って本考案は小型で移動が容易にでき誰でも瞬間的に確実な除菌を可能にすることで前述の欠点を解決しようとするものである。
【課題を解決するための手段】
【０００７】
従来の洗浄装置はモーターやポンプ等の装置が本体とは別に設置されているため大型であるが、本考案は上部にコンプレッサー、内部に薬液タンクを内蔵する一体型の除菌装置である。一体型のため重量があるが、本体の形状を台形型にすることで重心が中央になるようにし、１０Ｌの薬液タンクを左右に置くことで重心の均衡を取り本体の移動時に転倒しにくく工夫した筐体であるため大型の除菌装置よりも可搬性が高く様々な場所での使用を可能にしている。
【０００８】
安定化二酸化塩素水を３方向及び角度調整ができるノズルから噴霧するゲート型除菌装置にショッピングカートや買い物かごを潜らせることで大きさの異なるショッピングカートや買い物かごを瞬間的に均一に除菌することができ、非常に細かい霧状の安定化二酸化塩素水を噴霧するため水で洗浄する際の乾燥が不要であり除菌後すぐに使用することが可能である。また、実際に利用する本人が除菌を行うことができるため業者への委託が不要であり時間的労働的負担、コストを抑えることが可能である。
【考案の効果】
【０００９】
本考案のゲート型除菌装置は倒れにくい筐体設計の為可搬性が高くどこにでも設置することができる。特別な操作が不要でありショッピングカートや買い物かごを検知し自動でミストを放出し自動で止まる為誰でも瞬間的に均一に薬剤を塗布することができ、実際に利用する本人がゲートに潜らせ除菌をすることができる。
【図面の簡単な説明】
【００１０】
【図１】本考案の台形型を示す左側面図である。
【図２】本考案の正面図である。
【考案を実施するための形態】
【００１１】
コンプレッサー、２０Ｌの薬液タンクを内蔵する一体型であり転倒を防ぐため台形型のフレームにし左右各１０Ｌの薬液タンクを内蔵することで安定性と可搬性を高め、速乾性のある霧状の安定化二酸化塩素水を噴霧することにより大型の除菌装置の性能に劣ることなく確実な除菌を実現した。
【実施例】
【００１２】
図１の台形型のフレーム１と図２の左右各１０Ｌずつ内蔵された薬液タンク２により重心を真中になるようにし均衡を保っている。また、アジャスター付きキャスター４により移動が容易にできる。
【００１３】
図２の正面からショッピングカート又は買い物かごを潜らせ自動検知センサー５で自動検知し３方向の噴霧ノズル６から霧状の安定化二酸化塩素水を噴霧する。
【符号の説明】
【００１４】
１  台形型フレーム
２  薬液タンク
３  コンプレッサー
４  アジャスター付きキャスター
５  自動検知センサー
６  噴霧ノズル
【図１】
0003229710.tif 000003
【図２】
0003229710.tif 000004
(57)【要約】      （修正有）【課題】平板状部材の形状を工夫することで、飛沫を防ぐ容器の蓋として使用するだけではなく、グラスを置くためのコースターとしても使用することが可能な、容器蓋兼コースターを提供する。【解決手段】容器蓋兼コースターは、プラスチック製平板状部材の一方の面にグラスの口部を覆う溝２を設けて、もう一方には複数の突条３を設ける。これにより、平板状部材をグラスの蓋として使用するだけでなく、コースターとしても使用することが可能となる。平板状部材を構成するプラスチックには銀系の無機質抗菌剤を練り込むことができる。【選択図】図３
0003229704.tif 000002
【実用新案登録請求の範囲】
【請求項１】
プラスチック製の平板状部材の一方の面にグラスの口部を覆う溝部を設け、もう一方の面に複数の突条を設けたことを特徴とする容器蓋兼コースター。
【請求項２】
前記プラスチックに銀系の無機質抗菌剤を練り込んだことを特徴とする請求項１に記載の容器蓋兼コースター。
【考案の詳細な説明】
【技術分野】
【０００１】
本考案は、グラスの蓋として飲み物を飛沫から守る機能を持ち、コースターとしても使用可能な容器蓋兼コースターに関するものである。
【背景技術】
【０００２】
従来、グラスなどの飲料用容器の蓋としては特許文献１に開示されているようなものが開発されている。
【０００３】
これらの蓋は使い捨てのタイプであることが多く、グラスから飲料を飲む際に蓋を外すと邪魔になることが多かった。そのため、すぐ捨てられてゴミになってしまい、プラスチックゴミを減らすことが望まれる中、良い印象の商品ではなかった。また、新型コロナウイルスの流行により、ウイルス感染への対策を講じることが重要となっている。
【先行技術文献】
【特許文献】
【０００４】
【特許文献１】特開２０１５−１６７７６３号公報
【考案の概要】
【考案が解決しようとする課題】
【０００５】
したがって本考案の目的は、上記した従来の問題点を解決し、形状を工夫して容器の蓋やコースターとしても使用することができる容器蓋兼コースターを提供することである。
【課題を解決するための手段】
【０００６】
上記の課題を解決するためになされた請求項１の考案は、プラスチック製の平板状部材の一方の面にグラスの口部を覆う溝を設け、もう一方の面に複数の突条を設けたことを特徴とするものである。
【０００７】
なお、請求項２のように、容器蓋兼コースターを構成するプラスチックに銀系の無機質抗菌剤を練り込むことができる。
【考案の効果】
【０００８】
請求項１の容器蓋兼コースターは、プラスチック製の平板状部材の一方にグラスの口部を覆う溝を設けて、もう一方に複数の突条を設けたものであるから、グラスの口部にかぶせる蓋として利用できるだけでなく、コースターとしても利用することができる。
【０００９】
請求項２の容器蓋兼コースターは、容器蓋兼コースターを構成するプラスチックに銀系の無機質抗菌剤を練り込んだことから、容器蓋兼コースターに抗菌効果を持たせることができる。
【図面の簡単な説明】
【００１０】
【図１】本考案の実施形態を示す容器蓋兼コースターを、容器蓋として使用する側から見た平面図である。
【図２】本考案の実施形態を示す容器蓋兼コースターを、コースターとして使用する側から見た平面図である。
【図３】本考案の実施形態を示す容器蓋兼コースターの断面図である。
【考案を実施するための形態】
【００１１】
以下に本考案の実施形態を説明する。
【００１２】
図１に示した容器蓋兼コースター１はプラスチック製のものであるが、プラスチックの種類はポリプロピレン樹脂、メラミン樹脂、ポリエステル樹脂、シリコーン樹脂など様々なものが使用でき、容器蓋兼コースターを成形する際に銀系の無機質抗菌剤を練り込むことで、抗菌効果を持たせることができる。また、容器兼コースター１はグラスの口部を覆うことができる大きさとする。
【００１３】
容器蓋兼コースター１の、容器蓋として使用する面には凹状の溝２が設けられている。溝２の中にグラスの口部が収まることで、グラスに入った内容物を飛沫から守ることができる。溝２の中に容器口部が収まるようであれば、溝の幅及び深さは任意である。
【００１４】
図２は、容器蓋兼コースター１をコースターとして使用する側から見た平面図である。コースターとして使用する面には、複数の突条３が設けられている。突条３があることにより、グラスの底面をコースターとして使用する面に置いた際に、容器蓋兼コースター１が結露でグラスに張り付く現象を低減することができる。
【００１５】
図１または図２における容器蓋兼コースター１の断面図を図３として示す。
【符号の説明】
【００１６】
１    容器兼コースター
２    溝
３    突条
【図１】
0003229704.tif 000003
【図２】
0003229704.tif 000004
【図３】
0003229704.tif 000005
(57)【要約】      （修正有）【課題】配管に取り付けられた断熱材を損傷させることなく、断熱材の性能を維持させる保護板材を提供する。【解決手段】配管に取り付けた断熱材１、２が損傷しないように板金材３等の硬質材、プラスチックダンボール４、５もしくはその両方を使い、断熱材が取り付けられた凹凸部やエルボ部がある配管の形状に合わせて、隙間無く組み合わせるように加工される。【選択図】図３
0003229760.tif 000002
【実用新案登録請求の範囲】
【請求項１】
運搬する際に凹凸や曲がりがある配管に取り付けた断熱材を損傷させないことを特徴とする保護板材
【請求項２】
運搬する際に現場に設置される機器に取り付けた断熱材を損傷させないことを特徴とする保護板材。
【考案の詳細な説明】
【技術分野】
【０００１】  板金材等の硬質材もしくはプラスチックダンボールまたはその両方を使用することにより、配管に取り付けられた断熱材を損傷させることなく、また、性能を維持させるものである。
【背景技術】
【０００２】  現場において配管の取り付け工事後に断熱材を取り付けることは一般的ではあるが、狭い、高い場所での断熱材取り付け作業は事故が発生する可能性もあり、昨今の作業工程の期間短縮の面から断熱材取り付け作業を出来る限り現場内では行わない為にプレハブ化はおこなわれていた。
【考案の概要】
【０００３】  従来この種のプレハブ工法は、配管に断熱材を取り付けた後は傷つけないようにポリフィルムを巻いたり、被せたりされていた。しかし、ポリフィルムでは何かに引っ掛けたり、ぶつけたりすると配管に取り付けた断熱材を損傷し易く、損傷した場合には、損傷部を現場搬入後に補修しなければならず、結果的にはプレハブ工法のメリットが少なくなってしまう。
【課題が解決するための手段】
【０００４】  本考案は上記従来例の問題点を解決すべく板金材等の硬質材、プラスチックダンボールもしくはその両方を配管に取り付けた断熱材の上に被せることにより、何かに引っ掛けたり、ぶつけたりしても損傷し難くなり、それにより現場内に搬入された後の補修頻度が減少する。また、配管に取り付けた断熱材に巻き付けたまたは被せたポリフィルムは、１度の現場搬入で廃棄となるが、現場搬入に伴い、凹んだ板金は、叩いて補修が出来、切れたプラスチックベニアは、テープを貼ることにより、補修が出来るので結果として何度も使用することが可能となる。被せる物の長さを大きめにすることにより、数種類の配管サイズに取り付けた断熱材の保護板として兼用が可能となる。
【図面の簡単な説明】
【０００５】
【図１】  配管に取り付けた断熱材を覆われた板金材
【図２】  配管に取り付けた断熱材を覆われたプラスチックダンボール
【図３】  配管に取り付けた断熱材を覆うプラスチックダンボールの上に覆われた板金材
【考案を実施するための形態】
【０００６】  本来、現場ではなく工場で加工された配管に現場で断熱材を取り付け、それを損傷させずに現場に納入する目的のプレハブ工法であるが、実際には損傷が多いため現場設置後に補修をおこなうことが多いが、この考案は設置後の補修を極力減少させるものである。
【実施例】
【０００７】  設計図により、現場に搬入、設置される配管の長さに合わせて保温筒などの断熱材を加工、取り付けを行い、それを保護する為に板金材等の硬質材、プラスチックダンボールもしくはその両方を断熱材の上に被せてテープで止めるもしくはベルトや紐状のもので締め付ける等で固定させる。
１．板金材だけ断熱材の上に被せる
２．プラスチックダンボールだけ断熱材の上に被せる
３．断熱材の上にプラスチックダンボールを被せ、その上に板金材を被せる
上記の選択は断熱材の種類、運搬方法、設置作業の難易度により判断するものとする。
【符号の説明】
【０００８】１  保温筒（断熱材）の断面部
２  保温筒（断熱材）の側面部
３  板金材
４  プラスチックダンボールの断面部
５  プラスチックダンボールの側面部
【図１】
0003229760.tif 000003
【図２】
0003229760.tif 000004
【図３】
0003229760.tif 000005
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
断熱材が取り付けられた凹凸部やエルボ部がある配管の形状に合わせてその凹凸部やエルボ部に被せる部材を隙間無く組み合わせるように加工された運搬する際の断熱材を損傷させないことを特徴とする保護板材。
(57)【要約】      （修正有）【課題】尿排泄に疾患があって、尿取りパッドを利用する男性専用のホルダーパンツであり、特に、少量の尿漏れ疾患をもつ現役世代の利用者の活動性、安定性や軽快感を目的とするホルダーパンツを提供する。【解決手段】ウエスト開口部と一対のレッグ開口部とを有するホルダーパンツであって、着用状態において着用者の胴部を包囲するベルト部と、着用者の股間を覆う股下部と、着用者の背側を覆うＴ字形状の背側部３とを備え、股下部の内側には、尿とりパッド５が設けられている。さらに気温の上下に合わせて通気性ある素材を使用する。【選択図】図３
0003229754.tif 000002
【実用新案登録請求の範囲】
【請求項１】
尿排泄疾患がある男性が、尿取りパッドを使用する際に履くホルダーパンツについて、男性の身体的特性と活動性を考えて考案した新形状のホルダーパンツ
【請求項２】
素材が網状、メッシュ状であっても、形状が本考案（Ｔバック型、ふんどし型）に類するホルダーパンツは本考案の範囲
【考案の詳細な説明】
【技術分野】
【０００１】  本考案は、男性が尿取りパッドを装着する場合に使用するホルダーパンツに新たな形を作り出し、機能性、快適性を高めるためのものである。
【背景技術】
【０００２】  既存のホルダーパンツは、男女とも同型のもので［図１］のようなロング丈（ボクサー型）と［図２］のようなショーツ丈のものがあり、一般のパンツとしての機能とパッドのホルダーとしての機能を合わせたいわゆる兼用型となっている
【考案の概要】
【本考案が解決しようとする課題】
【０００３】  社会の現状は、前立腺の疾病などの原因により尿失禁疾患をもつ男性が増えている。それに伴って尿取りパッドの種類も複数販売されている。特に、吸収量によるパッドの分類では１０ｃｃくらいから２００ｃｃ以上に至るほど多様化している。しかしながら、ホルダーパンツの種類はたいへん限定的である。そういう現状に鑑み、男性利用者のために、より活動的で軽快感を備えたホルダーパンツを考案するものである。軽量の尿失禁のある男性にとって既存のホルダーパンツでは夏シーズンの装着はたいへん蒸し暑くなるのでより通気性のよいもの、また社会活動する上で安定性があるものが必要である。特に、現役世代のパッド利用者にとっては［図１］［図２］のような形状は必ずしも活動上機能的はではなく、軽快感にも乏しい。
【課題を解決するための手段】
【０００４】  本考案は、男性の身体的特性と社会生活上の機能性を考慮して、尿取りパッドを固定し安定さすためにホルダーパンツそのものを専用化した形状にするものである。［図３］［図４］のようにパッドの形状に合わせること、また身体にフィットさせることで、就寝時の寝返りによるパッドのズレを防止するものである。
本考案は、尿取りパッドホルダーの機能に着目して、一般的パンツとしての機能を切り離し二品化するものである。ホルダーパンツを装着する男性が暑い夏シーズンにおいても軽快感を維持できるように、網状・メッシュ状の素材で必要最小限の大きさに押さえたパッド専用の軽量ホルダーパンツにすることで、パッドが安定し、その上に通気性機能性も良く、また一般のパンツと併用することもでき、安心感と開放感を得るものである。
【考案の効果】
【０００５】  従来の尿取りパッドホルダーパンツは、［図１］［図２］の形状のようなもので、一般のパンツとしての機能とパッドを固定する機能を合わせもつものである。
もとよりパンツそのものには尿の吸収機能は備わっていないことに着目すると、男性特有の身体的特性からして、一般的なパンツとパッドホルダーパンツを分離して、より機能性を高めた方が男性利用者の安定感、安心感を増すことができる。
【図面の簡単な説明】
【０００６】
【図１】  ロング丈のホルダーパンツ（ボクサー型）
【図２】  ショーツ丈のホルダーパンツ
【図３】  本考案の男性専用のホルダーパンツ（Ｔバック型）
【図４】  本考案の男性専用のホルダーパンツ（ふんどし型）
【考案を実施するための形態】
【０００７】  男性用の尿取りパッドの形状は、楕円形か逆三角形のものが存在するのでそのどちらも覆うような大きさと形状を兼ね備えたものにする必要がある。また、類似したものでは、男性用・女性用Ｔバックパンツがあるが、実際に応用してみるとパッドが当たる部分のサイズが小さくて、パッドが収納しきれず露出してしまう。しかし、伸縮性、通気性などについてほとんど問題なく、サイズや形状をパッドに適合させるだけで、本考案のパッドホルダーパンツの制作は可能である。
【符号の説明】
【０００８】  １  ロング丈のホルダーパンツ
２  ショルダー丈のホルダーパンツ
３  本考案の男性専用のパッドホルダーパンツ（Ｔバック型）
４  本考案の男性専用のパッドホルダーパンツ（ふんどし型）
５  男性用尿取りパッド
【図１】
0003229754.tif 000003
【図２】
0003229754.tif 000004
【図３】
0003229754.tif 000005
【図４】
0003229754.tif 000006
【手続補正書】
【提出日】令和2年9月8日(2020.9.8)
【手続補正１】
【補正対象書類名】実用新案登録請求の範囲
【補正対象項目名】全文
【補正方法】変更
【補正の内容】
【実用新案登録請求の範囲】
【請求項１】
ウエスト開口部と一対のレッグ開口部とを有するホルダーパンツであって、
着用状態において着用者の胴部を包囲するベルト部と、前記着用者の股間を覆う股下部と、前記着用者の背側を覆うＴ字形状の背側部とを備え、
前記股下部の内側には、尿とりパッドが設けられていることを特徴とするボルダーパンツ。
【請求項２】
前記ベルト部、前記股下部及び前記背側部の少なくとも１つには、メッシュ素材が用いられていることを特徴とする請求項１に記載のホルダーパンツ。
(57)【要約】      （修正有）【課題】模写をする時に、正確に形を描きやすい模写トレーニング教材を提供する。【解決手段】描く対象物に碁盤線をのせて印刷する。描く場所には碁盤線だけを印刷する。碁盤線は０．５ポイント以下の細い実線、あるいは色、破線にして描きあげた作品には碁盤線が目立たないようにする。【選択図】図１
0003229756.tif 000002
【実用新案登録請求の範囲】
【請求項１】
絵や書を真似して描くときに手本になる画像に碁盤線を入れて印刷する
そして描く場所には碁盤線だけを印刷する
碁盤線は碁盤線は０．５ポイント以下の細い実線、あるいは色、破線にして印刷します
模写をする為のトレーニング教材です。
【考案の詳細な説明】
【技術分野】
【０００１】本考案は手本になるものに碁盤線をかさねて印刷し、描く場所にはなるべく目立たないように碁盤線だけを印刷します。
【背景技術】
【０００２】模写をする初心者が絵や書の形を正確に捉えて描くことは難しく、バランスの悪い作品になってしまいます。
【考案の概要】
【考案が解決しようとする課題】
【０００３】模写をする時、形を描き易くします。
【課題を解決するための手段】
【０００４】形を捉え易くするために手本と描く場所に碁盤線を載せて印刷します
碁盤線を指標にします
碁盤線は碁盤線は０．５ポイント以下の細い実線、あるいは色、破線にして邪魔にならないようにします。
【考案の効果】
【０００５】模写する時の手本や描く場所に碁盤線は形を捉えるには便利ですが、手本は碁盤線で隠れたり、書き上げた作品にはその碁盤線は邪魔になります
碁盤線を色あるいは破線にして、手本や仕上がりの邪魔にならないようにします。
【図面の簡単な説明】
【０００６】
【図１】描く対象物、または手本になるものを碁盤線で分割した物
【図２】碁盤線をガイドとして印刷した用紙
【図３】碁盤線の一部を拡大表示したもの
【考案を実施するための形態】
【０００７】模写をする手本に形を捉えるための碁盤線を印刷する際、碁盤線は０．５ポイント以下の細い実線あるいは色や破線にします
また描く場所の碁盤線も描き終わったときに目立たないように０．５ポイント以下の細い実線あるいは色や破線します
ドットの間隔、太さを用紙に対して最適な状態で印刷すると、碁盤線の上に描きあげても作品としての満足感が得られます。
【実施例】
【０００８】手本の上に碁盤線と描く場所には碁盤線だけを印刷します
碁盤線は０．５ポイント以下の細い実線あるいは色や破線にして印刷します。
【産業上の利用可能性】
【０００９】模写する手本に碁盤線を入れ、描く場所には碁盤線だけを印刷して販売します。
【符号の説明】１．デジカメ等で撮影した描く対象物になるものを碁盤線で分割した物です。
２．碁盤線だけを印刷した物に１．の対象物を描いたもの。
３．碁盤線を拡大したものです。
【図１】
0003229756.tif 000003
0003229756.tif 000004
【手続補正書】
【提出日】令和2年9月11日(2020.9.11)
【手続補正１】
【補正対象書類名】実用新案登録請求の範囲
【補正対象項目名】請求項１
【補正方法】変更
【補正の内容】
【請求項１】
絵や書を真似して描くときに手本になる画像に対して、０．５ポイント以下の細い実線、あるいは色、破線からなる碁盤線を入れて印刷する、描く場所には前記碁盤線が印刷された、模写トレーニング教材。
【手続補正２】
【補正対象書類名】図面
【補正対象項目名】全図
【補正方法】変更
【補正の内容】
【図１】
0003229756.tif 000005
【図２】
0003229756.tif 000006
【図３】
0003229756.tif 000007